(57)【要約】【課題】ロール状に小巻された台紙なしラベルの側端部の粘着性を抑制する処理を簡単に行うことができる台紙なしラベル小巻装置、台紙なしラベル小巻方法を提供する。【解決手段】台紙なしラベル小巻装置１は、基材２０１の一方の面に剥離層２０２が形成され、基材２０１の他方の面に粘着層２０３が形成された帯状の素材シート２００を幅方向において複数に切断するスリット部２０と、スリット部２０により切断されて帯状に形成された台紙なしラベル３００を小巻きする小巻部３０Ａと、小巻部３０Ａにより小巻された台紙なしラベル３００の側端面に、側端面の粘着性を抑えるブロッキング防止パウダーを塗布する塗布部３２とを備える。【選択図】図３
2014210387.tif 000002
【特許請求の範囲】
【請求項１】
基材の一方の面に剥離層が形成され、前記基材の他方の面に粘着層が形成された帯状の素材シートを幅方向において複数に切断する切断部と、
前記切断部により切断されて帯状に形成された台紙なしラベルを小巻きする小巻部と、
前記小巻部により小巻された前記台紙なしラベルの側端面に、前記側端面の粘着性を抑える粘着抑制剤を塗布する塗布部と、
を備える台紙なしラベル小巻装置。
【請求項２】
請求項１に記載の台紙なしラベル小巻装置において、
前記塗布部は、前記小巻部によって所定量の小巻が完了した後に前記台紙なしラベルの側端面に前記粘着抑制剤を塗布すること、
を特徴とする台紙なしラベル小巻装置。
【請求項３】
請求項１又は請求項２に記載の台紙なしラベル小巻装置において、
前記粘着抑制剤は、粘着性を抑える効果を有する粉体であること、
を特徴とする台紙なしラベル小巻装置。
【請求項４】
請求項１又は請求項２に記載の台紙なしラベル小巻装置において、
前記粘着抑制剤は、紫外線硬化性を有する液体であって、
前記塗布部により前記台紙なしラベルの側端面に塗布された前記液体に紫外線を照射する紫外線照射部を有すること、
を特徴とする台紙なしラベル小巻装置。
【請求項５】
基材の一方の面に剥離層が形成され、前記基材の他方の面に粘着層が形成された帯状の素材シートを幅方向において複数に切断し、
切断されて帯状に形成された台紙なしラベルを小巻きし、
小巻された前記台紙なしラベルの側端面に、前記側端面の粘着性を抑える粘着抑制剤を塗布する台紙なしラベル小巻方法。
【発明の詳細な説明】
【技術分野】
【０００１】
本発明は、台紙なしラベルの製造に用いられる台紙なしラベル小巻装置、台紙なしラベル小巻方法に関するものである。
【背景技術】
【０００２】
従来から、ラベルは、その一方の面が印刷可能な面等の表示面とされ、他方の面に粘着層が形成されている。そして、従来のラベルは、製造及び取り扱いを容易にするために、粘着層に対して剥離が容易な台紙（剥離紙）が積層されていた。
しかし、台紙は、ラベルが利用されるときには、廃棄されてしまうものであった。そこで、環境保護の観点、及び、使用時の台紙廃棄の煩雑さを回避する観点から、台紙を用いない台紙なしラベルが開発されている（例えば、特許文献１）。
【０００３】
印刷、ダイカット、スリット等、台紙なしラベルの製造に必要な工程を終えた後、台紙なしラベルは、ロール状に小巻されて、出荷される。
しかし、小巻された台紙なしラベルは、粘着層がロールの側端部に露出しているので、側端部に粘着性があり、取り扱いに注意が必要であった。特に、複数の小巻された台紙なしラベルを重ねてしまうと、両者の粘着層同士が接触して、強力に貼り付いてしまうおそれがあった。
このような側端部の粘着性を抑制するために、例えば、ブロッキング防止パウダーといった張り付きを防止する粉体を、側端部に塗布することが考えられる。しかし、小巻後にこのような処理を行うには、従来は、手作業で行うことが必要であり、作業が繁雑であった。
【先行技術文献】
【特許文献】
【０００４】
【特許文献１】特開２００２−１８７２２２号公報
【発明の概要】
【発明が解決しようとする課題】
【０００５】
本発明の課題は、ロール状に小巻された台紙なしラベルの側端部の粘着性を抑制する処理を簡単に行うことができる台紙なしラベル小巻装置、台紙なしラベル小巻方法を提供することである。
【課題を解決するための手段】
【０００６】
本発明は、以下のような解決手段により、前記課題を解決する。
【０００７】
請求項１の発明は、基材の一方の面に剥離層が形成され、前記基材の他方の面に粘着層が形成された帯状の素材シートを幅方向において複数に切断する切断部と、前記切断部により切断されて帯状に形成された台紙なしラベルを小巻きする小巻部と、前記小巻部により小巻された前記台紙なしラベルの側端面に、前記側端面の粘着性を抑える粘着抑制剤を塗布する塗布部と、を備える台紙なしラベル小巻装置である。
【０００８】
請求項２の発明は、請求項１に記載の台紙なしラベル小巻装置において、前記塗布部は、前記小巻部によって所定量の小巻が完了した後に前記台紙なしラベルの側端面に前記粘着抑制剤を塗布すること、を特徴とする台紙なしラベル小巻装置である。
【０００９】
請求項３の発明は、請求項１又は請求項２に記載の台紙なしラベル小巻装置において、前記粘着抑制剤は、粘着性を抑える効果を有する粉体であること、を特徴とする台紙なしラベル小巻装置である。
【００１０】
請求項４の発明は、請求項１又は請求項２に記載の台紙なしラベル小巻装置において、前記粘着抑制剤は、紫外線硬化性を有する液体であって、前記塗布部により前記台紙なしラベルの側端面に塗布された前記液体に紫外線を照射する紫外線照射部を有すること、を特徴とする台紙なしラベル小巻装置である。
【００１１】
請求項５の発明は、基材の一方の面に剥離層が形成され、前記基材の他方の面に粘着層が形成された帯状の素材シートを幅方向において複数に切断し、切断されて帯状に形成された台紙なしラベルを小巻きし、小巻された前記台紙なしラベルの側端面に、前記側端面の粘着性を抑える粘着抑制剤を塗布する台紙なしラベル小巻方法である。
【発明の効果】
【００１２】
本発明によれば、台紙なしラベル小巻装置は、ロール状に小巻された台紙なしラベルの側端部の粘着性を抑制する処理を簡単に行うことができる。よって、本発明の台紙なしラベル小巻装置及び台紙なしラベル小巻方法により小巻されたロール状の台紙なしラベルは、側面の粘着性が抑制されており、取り扱いが容易である。
【図面の簡単な説明】
【００１３】
【図１】本発明による台紙なしラベル小巻装置の第１実施形態を示す概略図である。
【図２】素材シート２００の概略を示す概略断面図である。
【図３】小巻部３０Ａを拡大して示した概略斜視図である。
【図４】第１実施形態の台紙なしラベル小巻装置１を用いた台紙なしラベル小巻方法の概要を示すフローチャートである。
【図５】本発明による台紙なしラベル小巻装置の第２実施形態を示す概略図である。
【図６】小巻部３０Ｂを拡大して示した概略斜視図である。
【図７】第２実施形態の台紙なしラベル小巻装置２を用いた台紙なしラベル小巻方法の概要を示すフローチャートである。
【発明を実施するための形態】
【００１４】
以下、本発明を実施するための最良の形態について図面等を参照して説明する。
【００１５】
（第１実施形態）
図１は、本発明による台紙なしラベル小巻装置の第１実施形態を示す概略図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１６】
台紙なしラベル小巻装置１は、素材シート供給部１０と、スリット部２０と、小巻部３０Ａとを備えている。
【００１７】
素材シート供給部１０は、ロール状に巻かれた素材シート２００を供給する。
図２は、素材シート２００の概略を示す概略断面図である。
素材シート２００は、基材２０１と、剥離層２０２と、粘着層２０３とを有している。
基材２０１としては、例えば、上質紙やコート紙等の紙材、ＰＥＴ（ペット）フィルム等のフィルム、合成紙、サーマル紙等が使用される。また、基材２０１の表面（剥離層２０２が形成されている側）には、必要に応じて、商品名、コード、金額、年月日、社名等の印刷が施されていてもよい。
【００１８】
剥離層２０２は、基材２０１の一方の面に塗布されて形成されている。剥離層２０２を形成する剥離剤としては、例えば、シリコーンを用いることができる。以下、この剥離層２０２が形成されている側を表面、反対側を裏面と呼ぶ。
粘着層２０３は、基材２０１の裏面に塗布されて形成されている。
【００１９】
上記素材シート２００は、本発明の台紙なしラベル小巻装置１に装填して使用するために、予め準備されていることが望ましい。素材シート２００は、その幅が例えば、３００ｍｍ等、比較的幅広に形成されている。台紙なしラベル小巻装置１は、この素材シート２００を後述するスリット部２０により必要なラベル幅にスリット（切断）して、台紙なしラベル３００の製造を行える。
【００２０】
図１に戻って、スリット部２０は、素材シート２００を幅方向において複数にスリット（切断）する円盤状の回転カッタを備えた切断部である。素材シート２００は、スリット部２０により複数列に切断されることにより、それぞれが、帯状の台紙なしラベル３００として形成される。
【００２１】
小巻部３０Ａは、スリット部２０で切断されて形成された台紙なしラベル３００をそれぞれ巻き取って、台紙なしラベルとして納品可能な状態に小巻する。本実施形態の例では、スリット部２０は、３列の台紙なしラベル３００を形成し、これに対応して、３つの小巻部３０Ａが設けられている。小巻部３０Ａは、側面から見たときに隣の小巻部３０Ａと干渉しないように、位置がずれて配置されている。また、スリット部２０により切断された各台紙なしラベル３００は、ガイドローラ４０によりガイドされて、それぞれの小巻部３０Ａへ搬送される。
【００２２】
図３は、小巻部３０Ａを拡大して示した概略斜視図である。
小巻部３０Ａは、巻き取り軸部３１と、塗布部３２とを備えている。
【００２３】
巻き取り軸部３１は、不図示の制御部により制御されて回転する。巻き取り軸部３１には、支管５０が取り付けられ、この支管５０に台紙なしラベル３００が巻き取られる。
【００２４】
塗布部３２は、小巻部３０Ａにより小巻されてロール状に形成された台紙なしラベル３００の両側端面のそれぞれに対向するように、２つ配置されている。塗布部３２は、ロール状に形成された台紙なしラベル３００の両側端面に、この側端面の粘着性を抑える粘着抑制剤を塗布する。本実施形態では、塗布部３２は、小巻部３０Ａによって所定量の小巻が完了した後に、ロール状に形成された台紙なしラベル３００を回転させながら、台紙なしラベル３００の側端面に粘着抑制剤を塗布する。また、本実施形態では、塗布部３２は、粘着抑制剤として、粘着性を抑える効果を有する粉体を噴射（スプレー）して塗布する。粘着抑制剤として用いる粉体としては、例えば、ブロッキング防止パウダーを用いることができる。なお、塗布部３２の動作は、不図示の制御部により制御される。
【００２５】
図４は、第１実施形態の台紙なしラベル小巻装置１を用いた台紙なしラベル小巻方法の概要を示すフローチャートである。
【００２６】
ステップ（以下、単にＳとする）１１では、台紙なしラベル小巻装置は、スリット部２０により素材シート２００を切断して帯状の台紙なしラベル３００を形成する工程を開始する。また、これと同時に小巻部３０Ａによる小巻工程も開始する。
【００２７】
Ｓ１２では、台紙なしラベル小巻装置１は、小巻部３０Ａによって台紙なしラベル３００が所定量小巻されたか否かの判断を行う。この判断は、例えば、巻き取り軸部３１の回転量により判断してもよいし、台紙なしラベル３００に設けられた不図示のマークをセンサにより検出して行ってもよい。台紙なしラベル３００が所定量小巻されたと判断された場合には、Ｓ１３へ進み、台紙なしラベル３００が所定量小巻されていない場合には、このＳ１２のステップを繰り返す。
【００２８】
Ｓ１３では、台紙なしラベル小巻装置１は、塗布部３２によりブロッキング防止パウダーを台紙なしラベル３００の両側端面に噴射して塗布する。これにより、台紙なしラベル３００は、側面同士を重ねても、粘着層２０３の粘着力によって両者が貼り付いてしまうことを防止できる。
【００２９】
以上説明したように、第１実施形態の台紙なしラベル小巻装置１によれば、小巻が完了した後、自動的に塗布部３２によりブロッキング防止パウダーを台紙なしラベル３００の両側端面に噴射して塗布する。よって、台紙なしラベル小巻装置１により小巻された台紙なしラベル３００は、側面に粘着力が生じることがなく、取り扱いを容易に行える。また、塗布部３２は、小巻を完了してからブロッキング防止パウダーの塗布を行うので、台紙なしラベル３００の表裏面の間にブロッキング防止パウダーが挟まれてしまうこともなく、後にラベルプリンタ等により印刷等を行うときに悪影響を与えることもない。
【００３０】
（第２実施形態）
図５は、本発明による台紙なしラベル小巻装置の第２実施形態を示す概略図である。
第２実施形態の台紙なしラベル小巻装置２は、小巻部３０Ｂの形態が第１実施形態の小巻部３０Ａと異なる他は、第１実施形態の台紙なしラベル小巻装置１と同様な形態をしている。よって、前述した第１実施形態と同様の機能を果たす部分には、同一の符号を付して、重複する説明を適宜省略する。
【００３１】
台紙なしラベル小巻装置２は、素材シート供給部１０と、スリット部２０と、小巻部３０Ｂとを備えている。
【００３２】
小巻部３０Ｂは、スリット部２０で切断されて形成された台紙なしラベル３００をそれぞれ巻き取って、台紙なしラベルとして納品可能な状態に小巻する。本実施形態の例では、スリット部２０は、３列の台紙なしラベル３００を形成し、これに対応して、３つの小巻部３０Ｂが設けられている。小巻部３０Ｂは、側面から見たときに隣の小巻部３０Ｂと干渉しないように、位置がずれて配置されている。また、スリット部２０により切断された各台紙なしラベル３００は、ガイドローラ４０によりガイドされて、それぞれの小巻部３０Ｂへ搬送される。
【００３３】
図６は、小巻部３０Ｂを拡大して示した概略斜視図である。
小巻部３０Ｂは、巻き取り軸部３１と、塗布部３２と、紫外線照射部３３とを備えている。
【００３４】
塗布部３２は、小巻部３０Ｂにより小巻されてロール状に形成された台紙なしラベル３００の両側端面のそれぞれに対向するように、２つ配置されている。塗布部３２は、ロール状に形成された台紙なしラベル３００の両側端面に、この側端面の粘着性を抑える粘着抑制剤を塗布する。本実施形態では、塗布部３２は、小巻部３０Ｂによって所定量の小巻が完了した後に、ロール状に形成された台紙なしラベル３００を回転させながら、台紙なしラベル３００の側端面に粘着抑制剤を塗布する。また、本実施形態では、塗布部３２は、粘着抑制剤として、紫外線硬化性を有する液体を噴射（スプレー）して塗布する。粘着抑制剤として用いる液体としては、例えば、紫外線硬化型インクを用いることができる。
【００３５】
紫外線照射部３３は、小巻部３０Ｂにより小巻されてロール状に形成された台紙なしラベル３００の両側端面のそれぞれに対向する位置であって、塗布部３２とは離れた位置に、２つ配置されている。紫外線照射部３３は、塗布部３２により台紙なしラベル３００の側端面に塗布された液体（紫外線硬化型インク）に紫外線を照射する。また、紫外線照射部３３は、塗布部３２によって所定量の液体（紫外線硬化型インク）の塗布が完了した後に、ロール状に形成された台紙なしラベル３００を回転させながら、台紙なしラベル３００の側端面に紫外線を照射する。ロール状に形成された台紙なしラベル３００の側面には、硬化した紫外線硬化型インクの薄い保護層が形成され、この側面の粘着性が抑制される。なお、塗布部３２及び紫外線照射部３３の動作は、不図示の制御部により制御される。
【００３６】
図７は、第２実施形態の台紙なしラベル小巻装置２を用いた台紙なしラベル小巻方法の概要を示すフローチャートである。
【００３７】
Ｓ２１では、台紙なしラベル小巻装置２は、スリット部２０により素材シート２００を切断して帯状の台紙なしラベル３００を形成する工程を開始する。また、これと同時に小巻部３０Ｂによる小巻工程も開始する。
【００３８】
Ｓ２２では、台紙なしラベル小巻装置２は、小巻部３０Ｂによって台紙なしラベル３００が所定量小巻されたか否かの判断を行う。この判断は、例えば、巻き取り軸部３１の回転量により判断してもよいし、台紙なしラベル３００に設けられた不図示のマークをセンサにより検出して行ってもよい。台紙なしラベル３００が所定量小巻されたと判断された場合には、Ｓ２３へ進み、台紙なしラベル３００が所定量小巻されていない場合には、このＳ２２のステップを繰り返す。
【００３９】
Ｓ２３では、台紙なしラベル小巻装置は、塗布部３２により紫外線硬化型インクを台紙なしラベル３００の両側端面に噴射して塗布する。
【００４０】
Ｓ２４では、台紙なしラベル小巻装置は、紫外線照射部３３により紫外線を台紙なしラベル３００の両側端面に向けて照射し、塗布部３２により塗布された紫外線硬化型インクを硬化させる。これにより、台紙なしラベル３００は、側面同士を重ねても、粘着層２０３の粘着力によって両者が貼り付いてしまうことを防止できる。
【００４１】
以上説明したように、第２実施形態の台紙なしラベル小巻装置２によれば、小巻が完了した後、自動的に塗布部３２により紫外線硬化型インクを台紙なしラベル３００の両側端面に噴射して塗布する。その後、台紙なしラベル小巻装置２は、紫外線照射部３３により紫外線を台紙なしラベル３００の両側端面に向けて自動的に照射し、塗布部３２により塗布された紫外線硬化型インクを硬化させる。よって、台紙なしラベル小巻装置２により小巻された台紙なしラベル３００は、側面に粘着力が生じることがなく、取り扱いを容易に行える。
【００４２】
（変形形態）
以上説明した実施形態に限定されることなく、種々の変形や変更が可能であって、それらも本発明の範囲内である。
【００４３】
各実施形態において、台紙なしラベル小巻装置１，２は、素材シート２００に対してスリットだけを行った後に小巻を行う例を挙げて説明した。これに限らず、例えば、台紙なしラベル小巻装置１，２は、素材シート２００に印刷を行ったり、ダイカットを行ったりしてもよい。
【００４４】
各実施形態において、塗布部３２は、粘着抑制剤を噴射（スプレー）することにより塗布する例を挙げて説明した。これに限らず、例えば、塗布部は、ローラや刷毛等、他の手法により粘着抑制剤を塗布するようにしてもよい。
【００４５】
各実施形態において、塗布部３２は、粘着抑制剤として、ブロッキング防止パウダー、又は、紫外線硬化型インクを塗布する例を挙げて説明した。これに限らず、粘着抑制剤としては、粘着層２０３の粘着性を抑制することができる材料であれば、どのような材料を用いてもよい。例えば、粘着抑制剤として、紫外線硬化性を有したニスやメジウムを用いてもよい。
【００４６】
なお、各実施形態及び変形形態は、適宜組み合わせて用いることもできるが、詳細な説明は省略する。また、本発明は以上説明した各実施形態によって限定されることはない。
【符号の説明】
【００４７】
１，２  ラベル小巻装置
１０    素材シート供給部
２０    スリット部
３０Ａ，３０Ｂ  小巻部
３１    巻き取り軸部
３２    塗布部
３３    紫外線照射部
４０    ガイドローラ
５０    支管
２００  素材シート
２０１  基材
２０２  剥離層
２０３  粘着層
３００  台紙なしラベル
【図１】
2014210387.tif 000003
【図２】
2014210387.tif 000004
【図３】
2014210387.tif 000005
【図４】
2014210387.tif 000006
【図５】
2014210387.tif 000007
【図６】
2014210387.tif 000008
【図７】
2014210387.tif 000009